(57)【要約】【課題】  端末操作者が自端末を周囲の人に手渡す際に、端末操作者や端末受取人の意図しない入力処理が実行されるのを抑制することができる携帯情報端末を提供する。【解決手段】  薄型筐体１０の前面に配置され、表示画面に対するタッチ操作を検出するタッチパネル１２と、タッチ操作に基づいて、入力処理を実行する入力処理部２０４と、押圧力を検出する圧力センサ１５と、押圧力に基づいて、グリップ状態であるか否かを判別するグリップ状態判別部２０２と、グリップ状態が継続している期間内において開始されたタッチ操作を無効化するタッチ操作無効化部２０３により構成される。【選択図】  図５
2015033009.tif 000002
【特許請求の範囲】
【請求項１】
薄型筐体の一主面に配置され、表示画面に対するタッチ操作を検出するタッチパネルと、
上記タッチ操作に基づいて、入力処理を実行する入力処理手段と、
押圧力を検出する押圧力検出手段と、
上記押圧力に基づいて、グリップ状態であるか否かを判別するグリップ状態判別手段と、
上記グリップ状態が継続している期間内において開始された上記タッチ操作を無効化するタッチ操作無効化手段とを備えたことを特徴とする携帯情報端末。
【請求項２】
上記薄型筐体が、上下方向を長手方向とする縦長形状からなり、
上記押圧力検出手段が、上記薄型筐体の左端面又は右端面に配置された圧力センサからなることを特徴とする請求項１に記載の携帯情報端末。
【請求項３】
上記圧力センサは、上記薄型筐体の左端面及び右端面にそれぞれ配置されていることを特徴とする請求項２に記載の携帯情報端末。
【請求項４】
上記圧力センサは、上記薄型筐体の下端近傍に配置されていることを特徴とする請求項２又は３に記載の携帯情報端末。
【請求項５】
上記グリップ状態判別手段は、上記押圧力の検出値を判定閾値と比較した比較結果に応じて、上記グリップ状態であるか否かを判別することを特徴とする請求項１〜４のいずれかに記載の携帯情報端末。
【発明の詳細な説明】
【技術分野】
【０００１】
本発明は、携帯情報端末に係り、さらに詳しくは、表示画面に対するタッチ操作を検出するタッチパネルが薄型筐体の一主面に配置された携帯情報端末の改良に関する。
【背景技術】
【０００２】
タッチパネルは、各種情報を表示画面内に表示する表示装置と、表示画面に対するタッチ操作を検出するタッチセンサとからなり、端末装置におけるユーザインターフェースとして用いられる（例えば、特許文献１）。端末装置は、タッチ操作に応じた入力処理を実行し、表示画面内の表示を更新する。
【０００３】
タッチ操作は、指を表示画面に近づけるダウンイベントによって開始され、指を表示画面から遠ざけるアップイベントによって終了される一連のユーザ操作からなる。通常、タッチ操作は、ダウンイベント又はアップイベントの操作位置、ダウンイベントからアップイベントまでの時間長、ダウンイベント及びアップイベント間における操作位置の変化量により、タップ操作、長押し操作、フリック操作、ドラッグ操作などに区分される。
【０００４】
上述したタッチパネルを薄型筐体の一主面に配置した携帯情報端末では、端末操作者が閲覧中の画面表示を周囲の人に見せるために、自端末を周囲の人に手渡すことがある。また、個人情報を本人に入力してもらうために、携帯情報端末を周囲の人に手渡すこともある。周囲の人が薄型筐体を手で掴んで端末操作者から携帯情報端末を受け取る場合、指が薄型筐体の主面に接触し、端末操作者や携帯情報端末の受取人の意図しない入力処理が実行されてしまうという問題があった。
【先行技術文献】
【特許文献】
【０００５】
【特許文献１】特開２００５−１８６８４７号公報
【発明の概要】
【発明が解決しようとする課題】
【０００６】
本発明は、上記事情に鑑みてなされたものであり、端末操作者が自端末を周囲の人に手渡す際に、端末操作者や端末受取人の意図しない入力処理が実行されるのを抑制することができる携帯情報端末を提供することを目的とする。
【課題を解決するための手段】
【０００７】
本発明による携帯情報端末は、薄型筐体の一主面に配置され、表示画面に対するタッチ操作を検出するタッチパネルと、上記タッチ操作に基づいて、入力処理を実行する入力処理手段と、押圧力を検出する押圧力検出手段と、上記押圧力に基づいて、グリップ状態であるか否かを判別するグリップ状態判別手段と、上記グリップ状態が継続している期間内において開始された上記タッチ操作を無効化するタッチ操作無効化手段とを備えて構成される。
【０００８】
この様な構成によれば、グリップ状態が継続している期間内に開始されたタッチ操作は無効化されるので、端末操作者が自端末を周囲の人に手渡す際に、グリップ状態に移行させてから手渡すことにより、端末操作者や端末受取人の意図しない入力処理が実行されるのを抑制することができる。また、押圧力によってグリップ状態であるか否かを判別するので、複雑な切替操作を必要とすることなく、グリップ状態へ移行させることができる。さらに、自端末の手渡しが完了すれば、自動的に非グリップ状態へ移行するので、携帯情報端末を受け取った端末受取人は、タッチ操作によって所望の入力処理を実行させることができる。
【発明の効果】
【０００９】
本発明によれば、端末操作者が自端末を周囲の人に手渡す際に、端末操作者や端末受取人の意図しない入力処理が実行されるのを抑制させた携帯情報端末を提供することができる。
【図面の簡単な説明】
【００１０】
【図１】本発明の実施の形態による携帯情報端末の一構成例を示した図であり、携帯情報端末の一例として、携帯電話機１が示されている。
【図２】図１の携帯電話機１の動作の一例を模式的に示した説明図であり、薄型筐体１０を左手２で保持しながらタッチパネル１２を操作する場合が示されている。
【図３】図１の携帯電話機１の動作の一例を模式的に示した説明図であり、端末操作者が自端末を周囲の人に手渡す場合が示されている。
【図４】図１の携帯電話機１内の機能構成の一例を示したブロック図である。
【図５】図４の主制御部２０の構成例を示したブロック図である。
【図６】図４の携帯電話機１の動作の一例を示したフローチャートである。
【発明を実施するための形態】
【００１１】
＜携帯電話機１＞
図１は、本発明の実施の形態による携帯情報端末の一構成例を示した図であり、携帯情報端末の一例として、携帯電話機１が示されている。図中の（ａ）には、携帯電話機１の前面が示され、（ｂ）には、携帯電話機１の右端面１０Ｒが示されている。この携帯電話機１は、移動体電話網に接続可能な端末装置であり、薄型筐体１０、受話用のスピーカ１１、タッチパネル１２、送話用のマイクロホン１３、操作キー１４ａ〜１４ｃ及び圧力センサ１５を備えて構成される。
【００１２】
薄型筐体１０は、薄型の直方体形状からなり、一方の主面が前面であり、他方の主面が背面である。この薄型筐体１０は、上下方向を長手方向とする縦長形状からなり、スピーカ１１、タッチパネル１２、マイクロホン１３及び操作キー１４ａ〜１４ｃは、薄型筐体１０の前面に配置されている。ここでいう上下方向は、手で握った状態で薄型筐体１０を保持する端末操作者から見た場合を基準としている。スピーカ１１は、薄型筐体１０の長手方向における一方の端部、すなわち、上端部に配置され、マイクロホン１３及び操作キー１４ａ〜１４ｃは、他方の端部、すなわち、下端部に配置されている。
【００１３】
タッチパネル１２は、表示画面内に文字や画像からなる各種情報を表示するとともに、表示画面に対するタッチ操作を検出する。スピーカ１１は、受話音や着信音を出力するための音声出力装置である。マイクロホン１３は、送話音を入力するための音声入力装置である。
【００１４】
操作キー１４ａ〜１４ｃは、いずれもユーザの押下操作を検出する接点式スイッチからなり、各種機能が割り当てられる。例えば、操作キー１４ａは、前の画面に戻るためのリターンキーである。また、操作キー１４ｂは、ホーム画面を表示するためのホームキーである。また、操作キー１４ｃは、メニュー画面を表示するためのメニューキーである。
【００１５】
圧力センサ１５は、端末操作者が薄型筐体１０を手で握っている状態を検知するために、押圧力を検出する押圧力検出手段である。例えば、圧力センサ１５は、圧電体に付加された圧力を電気信号に変換する圧電素子からなる。この圧力センサ１５は、検知精度を上げるために、薄型筐体１０の左端面及び右端面１０Ｒにそれぞれ配置されている。
【００１６】
図２は、図１の携帯電話機１の動作の一例を模式的に示した説明図であり、薄型筐体１０を左手２で保持しながらタッチパネル１２を操作する場合が示されている。通常、端末操作者は、表示画面内の表示を閲覧しながら自端末を操作する場合、薄型筐体１０を一方の手、例えば、左手２で保持し、左手２の親指や右手でタッチパネル１２を操作する。
【００１７】
端末操作者がこの様なユーザ操作を行うことにより、周囲の人に見て貰うための閲覧画面がタッチパネル１２上に表示される。周囲の人が端末操作者から携帯電話機１を受け取る場合、端末受取人は、薄型筐体１０を一方の手、例えば、右手で掴んで受け取る。
【００１８】
図３は、図１の携帯電話機１の動作の一例を模式的に示した説明図であり、端末操作者が自端末を周囲の人に手渡す場合が示されている。端末受取人は、端末操作者から携帯電話機１を受け取る場合、薄型筐体１０を右手３で掴んで受け取る。従来の携帯情報端末では、薄型筐体１０を右手３で掴んで携帯電話機１を受け取る場合に、右手３の親指がタッチパネル１２に接触し、端末操作者及び端末受取人の意図しない入力処理が実行されてしまうという課題があった。
【００１９】
これに対し、本発明の実施の形態による携帯電話機１では、圧力センサ１５により検出された押圧力に基づいて、グリップ状態であるか否かを判別し、グリップ状態が継続している期間内において開始されたタッチ操作を無効化する動作が行われる。このため、当該期間内に開始されたタッチ操作は無視され、タッチ操作に応じた入力処理も実行されない。
【００２０】
具体的には、自端末を端末受取人に手渡す場合、端末操作者は、薄型筐体１０を握る左手２のグリップ力を強くすることにより、携帯電話機１をグリップ状態に移行させ、タッチ操作を無効化してから手渡す。この様にすることにより、端末操作者や端末受取人の意図しない入力処理が実行されるのを防止することができる。
【００２１】
また、押圧力によってグリップ状態であるか否かを判別するので、複雑な切替操作を必要とすることなく、グリップ状態へ移行させることができる。さらに、自端末の手渡しが完了すれば、自動的に非グリップ状態へ移行するので、携帯電話機１を受け取った端末受取人は、タッチ操作によって所望の入力処理を実行させることができる。
【００２２】
圧力センサ１５は、薄型筐体１０を一方の手又は両方の手で握った際に押圧し易い位置を把持領域と呼ぶことにすれば、薄型筐体１０の把持領域内に配置されている。例えば、画面表示を閲覧しながらタッチパネル１２を操作する場合、薄型筐体１０を一方の手で握れば、薄型筐体１０の左端面又は右端面１０Ｒには手から押圧力が付加されることになる。
【００２３】
従って、圧力センサ１５をこの様な薄型筐体１０の端面に配置することにより、薄型筐体１０を握っている手の把持力を強くするだけで、グリップ状態に移行させることができる。通常、自端末を手渡す場合、薄型筐体１０の下端部が把持されることが多い。そこで、圧力センサ１５を薄型筐体１０の下端近傍に配置することにより、圧力センサ１５の位置を意識しなくても、薄型筐体１０を一方の手で握ることにより、グリップ状態に移行させることができる。
【００２４】
図４は、図１の携帯電話機１内の機能構成の一例を示したブロック図である。この携帯電話機１は、圧力センサ１５、主制御部２０、セルラー通信部２１、操作入力部２２、表示制御部２３、音声処理部２４及びメモリ２５により構成される。
【００２５】
主制御部２０は、通話制御などの主要な制御を行う。セルラー通信部２１は、移動体電話網に接続し、セルラー基地局を介して相手先端末と通信する無線通信部である。操作入力部２２は、ユーザ操作に応じた操作信号を生成し、主制御部２０へ出力する。具体的には、タッチパネル１２のセンサ出力に基づいて、タッチ操作の操作位置や、ダウンイベントからアップイベントまでの時間長が検知され、タッチ操作に応じた操作信号が生成される。
【００２６】
表示制御部２３は、タッチパネル１２の表示制御を行う。音声処理部２４は、マイクロホン１３により集音された音声信号を増幅し、デジタルデータに変換して主制御部２０へ出力する一方、主制御部２０から出力された音声データをアナログ信号に変換して駆動信号を生成し、スピーカ１１へ出力する。メモリ２５には、主制御部２０の制御プログラム等が保持される。
【００２７】
＜主制御部２０＞
図５は、図４の主制御部２０の構成例を示したブロック図である。この主制御部２０は、判定閾値記憶部２０１、グリップ状態判別部２０２、タッチ操作無効化部２０３、入力処理部２０４及び画面データ生成部２０５により構成される。
【００２８】
グリップ状態判別部２０２は、圧力センサ１５により検出された押圧力に基づいて、グリップ状態であるか否かを判別し、その判別結果をタッチ操作無効化部２０３へ出力する。このグリップ状態判別部２０２は、押圧力の検出値を判定閾値Ｔｈｒと比較した比較結果に応じて、グリップ状態であるか否かを判別する。判定閾値記憶部２０１には、タッチ操作の無効化に係る判定閾値Ｔｈｒが保持される。例えば、判定閾値Ｔｈｒには、落ちないように薄型筐体１０を手で軽く握っている際の押圧力＝５ｋｇ／ｃｍ２が用いられる。
【００２９】
具体的には、薄型筐体１０の左端面及び右端面１０Ｒにそれぞれ配置された２つの圧力センサ１５の検出値のうち、小さい方の検出値が判定閾値Ｔｈｒ以上である場合に、グリップ状態であると判別される。すなわち、２つの圧力センサ１５について、いずれの検出値も判定閾値Ｔｈｒ以上になれば、グリップ状態であると判別される。
【００３０】
一方、小さい方の検出値が判定閾値Ｔｈｒ未満である場合には、非グリップ状態であると判別される。すなわち、２つの圧力センサ１５について、いずれか一方の検出値が判定閾値Ｔｈｒ未満になれば、非グリップ状態であると判別される。
【００３１】
入力処理部２０４は、操作入力部２２から入力される操作信号に基づいて、入力処理を実行する。例えば、タップ操作や長押し操作といったタッチ操作に応じた入力処理が実行される。画面データ生成部２０５は、入力処理部２０４による入力処理に基づいて、画面データを生成し、表示制御部２３へ出力する。表示制御部２３は、この画面データに基づいて、表示画面内の表示を更新する。
【００３２】
タッチ操作無効化部２０３は、グリップ状態が継続している期間内において開始されたタッチ操作を無効化すべく入力処理部２０４を制御する。すなわち、グリップ状態が継続している期間内において開始されたタッチ操作の操作信号は、無視される。
【００３３】
図６のステップＳ１０１〜Ｓ１０６は、図４の携帯電話機１の動作の一例を示したフローチャートである。まず、主制御部２０は、圧力センサ１５から押圧力の検出値を取得し、判定閾値Ｔｈｒと比較する（ステップＳ１０１，Ｓ１０２）。
【００３４】
主制御部２０は、２つの圧力センサ１５の検出値のうち、小さい方の検出値が判定閾値Ｔｈｒ以上である場合に、グリップ状態であると判別し、グリップ状態が継続している期間内において開始されたタッチ操作を無効化する（ステップＳ１０３）。一方、主制御部２０は、２つの圧力センサ１５の検出値のうち、小さい方の検出値が判定閾値Ｔｈｒ未満である場合に、非グリップ状態であると判別し、この処理を直ちに終了する。
【００３５】
主制御部２０は、グリップ状態であると判別した場合、圧力センサ１５から押圧力の検出値を再度取得し、判定閾値Ｔｈｒと比較する（ステップＳ１０４，Ｓ１０５）。このとき、主制御部２０は、２つの圧力センサ１５の検出値のうち、小さい方の検出値が判定閾値Ｔｈｒ以上であれば、グリップ状態が継続していると判断し、ステップＳ１０４，Ｓ１０５の処理手順を繰り返す。
【００３６】
一方、主制御部２０は、２つの圧力センサ１５の検出値のうち、小さい方の検出値が判定閾値Ｔｈｒ未満であれば、非グリップ状態に移行したと判断し、タッチ操作の無効化を解除し、この処理を終了する（ステップＳ１０６）。
【００３７】
本実施の形態によれば、グリップ状態が継続している期間内に開始されたタッチ操作は無効化されるので、端末操作者が自端末を周囲の人に手渡す際に、グリップ状態に移行させてから手渡すことにより、端末操作者や端末受取人の意図しない入力処理が実行されるのを防止することができる。
【００３８】
なお、本実施の形態では、圧力センサ１５を用いて押圧力を検出する場合の例について説明したが、本発明は押圧力の検出手段をこれに限定するものではない。例えば、接点式スイッチ、或いは、静電容量式のタッチパッドを用いて、押圧力を検出するような構成であっても良い。
【００３９】
また、本実施の形態では、圧力センサ１５が薄型筐体１０の左右の両端面に設けられる場合の例について説明したが、本発明は圧力センサ１５の配置態様をこれに限定するものではない。例えば、圧力センサ１５を薄型筐体１０の左端面又は右端面のいずれか一方にだけ配置したものにも本発明は適用することができる。
【００４０】
また、本実施の形態では、薄型筐体１０の左端面及び右端面１０Ｒにそれぞれ配置された２つの圧力センサ１５の検出値のうち、小さい方の検出値が判定閾値Ｔｈｒ以上であるか否かに応じて、グリップ状態であるか否かを判別する場合の例について説明したが、本発明はグリップ状態の判別方法をこれに限定するものではない。例えば、２つの圧力センサ１５の検出値のうち、大きい方の検出値が判定閾値Ｔｈｒ以上であるか否かに応じて、グリップ状態であるか否かを判別するような構成であっても良い。すなわち、２つの圧力センサ１５について、いずれかの検出値が判定閾値Ｔｈｒ以上になれば、グリップ状態であると判別し、いずれの検出値も判定閾値Ｔｈｒ未満になれば、非グリップ状態であると判別するような構成であっても良い。
【００４１】
また、本実施の形態では、タッチ操作無効化部２０３が入力処理部２０４を制御し、グリップ状態が継続している期間内において開始されたタッチ操作の操作信号を入力処理部２０４が無視することにより、タッチ操作が無効化される場合の例について説明したが、本発明はタッチ操作の無効化方法をこれに限定するものではない。例えば、タッチ操作無効化部２０３が操作入力部２２を制御し、グリップ状態が継続している期間内において開始されたタッチ操作に対し、操作入力部２２が操作信号を出力しないことにより、タッチ操作が無効化されるような構成であっても良い。
【００４２】
また、本実施の形態では、押圧力の検出値を判定閾値Ｔｈｒと比較した比較結果に応じてグリップ状態であるか否かを判別してタッチ操作を無効化する場合の例について説明したが、タッチ操作の無効化以外の用途で圧力センサを備えていれば、当該圧力センサをタッチ操作の無効化にも用いることができる。例えば、圧力センサの検出値を判定閾値Ｔｈｒ１と比較し、その比較結果に基づいて通常モードと省電力モードとを切り替える端末装置の場合、判定閾値Ｔｈｒ１よりも大きい判定閾値Ｔｈｒ２を用いて、タッチ操作を無効化するような構成であっても良い。
【００４３】
本発明の実施の形態による携帯電話機１の構成と対応する作用効果とを以下に整理してまとめる。
第１の本発明による携帯電話機１は、薄型筐体１０の前面に配置され、表示画面に対するタッチ操作を検出するタッチパネル１２と、タッチ操作に基づいて、入力処理を実行する入力処理部２０４と、押圧力を検出する圧力センサ１５と、押圧力に基づいて、グリップ状態であるか否かを判別するグリップ状態判別部２０２と、グリップ状態が継続している期間内において開始されたタッチ操作を無効化するタッチ操作無効化部２０３とを備えて構成される。
【００４４】
この様な構成によれば、グリップ状態が継続している期間内に開始されたタッチ操作は無効化されるので、端末操作者が自端末を周囲の人に手渡す際に、グリップ状態に移行させてから手渡すことにより、端末操作者や端末受取人の意図しない入力処理が実行されるのを抑制することができる。
【００４５】
第２の本発明による携帯電話機１は、上記構成に加え、薄型筐体１０が、上下方向を長手方向とする縦長形状からなり、押圧力検出手段が、薄型筐体１０の左端面又は右端面１０Ｒに配置された圧力センサ１５からなるように構成される。この様な構成によれば、薄型筐体１０を一方の手で握ることにより、グリップ状態に移行させることができる。
【００４６】
第３の本発明による携帯電話機１は、上記構成に加え、圧力センサ１５が、薄型筐体１０の左端面及び右端面１０Ｒにそれぞれ配置されているように構成される。この様な構成によれば、薄型筐体１０の左端面及び右端面１０Ｒにそれぞれ配置された２つの圧力センサ１５の検出値を用いてグリップ状態を判別することにより、グリップ状態の判定精度を向上させることができる。
【００４７】
第４の本発明による携帯電話機１は、上記構成に加え、圧力センサ１５が、薄型筐体１０の下端近傍に配置されているように構成される。この様な構成によれば、薄型筐体１０を一方の手で握ることにより、圧力センサ１５の位置を意識しなくても、グリップ状態に移行させることができる。
【００４８】
第５の本発明による携帯電話機１は、上記構成に加え、グリップ状態判別部２０２が、押圧力の検出値を判定閾値Ｔｈｒと比較した比較結果に応じて、グリップ状態であるか否かを判別するように構成される。この様な構成によれば、グリップ状態であるか否かを簡素な構成によって判別することができる。
【符号の説明】
【００４９】
１  携帯電話機
１０  薄型筐体
１１  受話用のスピーカ
１２  タッチパネル
１３  送話用のマイクロホン
１４ａ〜１４ｃ  操作キー
１５  圧力センサ
２０  主制御部
２１  セルラー通信部
２２  操作入力部
２３  表示制御部
２４  音声処理部
２５  メモリ
２０１  判定閾値記憶部
２０２  グリップ状態判別部
２０３  タッチ操作無効化部
２０４  入力処理部
２０５  画面データ生成部
２  端末操作者の左手
３  端末受取人の右手
【図１】
2015033009.tif 000003
【図２】
2015033009.tif 000004
【図３】
2015033009.tif 000005
【図４】
2015033009.tif 000006
【図５】
2015033009.tif 000007
【図６】
2015033009.tif 000008